(57)【要約】      （修正有）【課題】これまでになかった機能性とファッション性に富み、しいては新しい拡販に資するブラジャーの構造を提供する。【解決手段】ブラジャー左右それぞれのカップ２のアンダーワイヤー部、あるいは円形、楕円形、三角形、四角形、星形の形状に形成した各ワイヤー部のフレーム１をメタル、プラステイック、リドルチタニウム、アルミチタン、マグネシウム、オプチルあるいは無垢１８金、１４金の金合金、ホワイトゴールド、銅合金、あるいは鰐、蛇、といった爬虫類皮膚を原料とした天然皮革製、及び合成皮革製あるいは、プラチナ、メタル、ナイロン、セルロイド、ポリアミド、ポリウレタン、竹、木材、バッファローホーン、べっ甲素材を材料として型成し、そのフレームをブラジャーの外側表面に取り付ける。ブラジャーカップ部の生地素材は布、メッシュ、サテン、レース、ポリエステル、ナイロン、コットン、シフォン、またはシースルーフイルムを使用する。【選択図】図１
0003189926.tif 000002
【実用新案登録請求の範囲】
【請求項１】
女性用下着であるブラジャーのフレーム（１）をサングラス眼鏡フレームの形状で形成し、ブラジャーのカップ（２）及びブラジャーのアンダーベルト（３）及びブラジャーのストラップ（肩ひも）（４）を備えて形成したことを特徴とするサングラス眼鏡フレーム形状のブラジャーの構造。
【請求項２】
前記フレーム（１）に使用する素材はメタルフレーム、プラステイックフレームほかアクリル、リドルチタニウム、アルミ、チタン、マグネシウム、オプチル、メタルフレームほか無垢フレームの１８金、１４金の金合金、ホワイトゴールド、銅合金、高級貴金属素材及び鰐、蛇といった爬虫類皮膚を原料とした天然皮革及び合成皮革製及びプラチナ、メタル、ナイロン、アセテート、セルロイド、ポリアミド、ポリウレタン、竹、木材、バッファローホーン、べっ甲の天然素材で形成することを特徴とするサングラス眼鏡フレーム形状のブラジャーの構造であり、さらにアンダーリム形状の眼鏡フレームに備えたことを特徴とするサングラス眼鏡フレーム形状のブラジャーの構造。
【請求項３】
ヌーブラカップに眼鏡フレーム形状の枠を設けた構造。その素材は前記アクリル、チタン、銅合金などの金属素材からなるメタルフレーム及び非金属のプラステイックフレーム、１８金、１４金、プラチナ、ホワイトゴールドの高級貴金属素材あるいは無垢フレーム、メタル、プラステイック、ナイロン、厚手のアセテート、セルロイド、ポリアミド、ポリウレタン、あるいは肌あたりのしなやかな優しさと秀逸な装飾性を兼ね備えたべっ甲の天然素材、あるいは透明フイルム、不透明フイルムで形成することを特徴とするヌーブラカップ型ブラジャーを備えたフレームの構造。
【請求項４】
前記サングラス形状のブラジャーにおいて、フレーム及びカップ部位全体を３Ｄプリンターで一体形成してなるブラジャーであることを特徴とするブラジャーの構造。
【請求項５】
アクリル及び金属素材でなるサングラス形状の本願考案の形状のソフトワイヤーブラジャー及びハードワイヤーブラジャーにおいて、そのカップ部分を金属製ではないナイロン製、布製、不織布製、メッシュ素材でなるブラジャーの構造。
【請求項６】
前記サングラス形状のブラジャーフレーム形状はハート形、星、野菜、及び果物、動物の物体形状であり、さらに各フレーム部位にはステンドグラス彫刻、及び象嵌による装飾のほか、フレーム本体を人気キャラクター形状及び各種立体造形で製造することを特徴とするブラジャーフレームの構造。
【考案の詳細な説明】
【技術分野】
【０００１】  本考案は女性が胸に装着するブラジャーの構造に関し、特にこれまでになかった機能性とファッション性に富み、しいては新しい拡販に資するブラジャーのデザイン及び構造に係る。
【背景技術】
【０００２】  従来から、ブラジャーの装着用途においては乳房の安全保護とその美的演出効果を目的としてきた。本考案はそれらのさらなる発展を目指したサングラス素材及び形状を援用してなるブラジャーであり、これまでに無かった全く新しい時代の意匠や工夫を施すことが期待されている。【０００３】  例えば、各種ブラャーにおいてカップを乳房に安定固定するためのカップの下にアンダーワイヤーを備えるブラジャーは存在したがカップ形状の保持用途でありブラジャー装飾魅力の増強用ではなかった。
【考案の概要】
【考案が解決しようとする課題】
【０００４】  本考案は、これまで一般的な布製ブラジャーの機能上の形状を大きく変えることなく使用する素材、及び構造上に於いて新しいインナーブラジャー、アウターブラジャーを提供するものである。
【課題を解決するための手段】
【０００５】  本考案のサングラス眼鏡フレーム形状のブラジャーの構造は、予めカップ外側円周に沿ったフレームを備え、そのフレームの素材は通常サングラスのフレームに用いられるチタン、金属素材を含むメタルフレームであり、非金属のプラステイックフレーム、あるいはプラチナ、１８Ｋ、ホワイトゴールドを含む無垢フレーム及び軽くしなやかなべっ甲であり、カップの素材は従来の布生地、レース、アクリル、透明フイルムを貼って成る。
【考案の効果】
【０００６】  本考案のカップ外側円周に沿ってサングラス眼鏡フレームを備えたブラジャーの構造によれば、その利用方法は、私室、寝室などのインナーだけでなく、ファッションショーでのお披露目からビーチ、リゾートでの装着の付加価値を高め、世界中の淑女の購買意欲を喚起することにより、ひいてはブラジャーの消費拡大に資することが出来る。
【考案を実施するための形態】
【０００７】  以下、本考案のサングラス眼鏡フレーム形状のブラジャーの構造を、その実施の最良の形態について図面に示す実施例に基ずいて具体的に説明する。
【０００８】  図１は本考案の実施例を示すものであり、本考案眼鏡のフレーム１を取り付け、カップ２、ほか布３、ストラップ４、アンダーベルト５、サイドベルト６、には従来使用の素材を取り付ける。
【図面の簡単な説明】
【０００９】
【図１】  本考案のブラジャーのサングラス形状の正面図である。
【図２】  本考案のブラジャー着用で得られた人体の動作図、側面図である。
【図３】  本考案のアンダーリム型眼鏡形状で得られたサングラス形状のブラジャーの正面図である。
【符号の説明】
【００１０】１‥‥‥‥‥ブラジャーのフレーム
２‥‥‥‥‥ブラジャーのカップ
３‥‥‥‥‥ブラジャーのアンダーベルト
４‥‥‥‥‥ブラジャーのストラップ（肩ひも）
５‥‥‥‥‥ブラジャーのサイドベルト
６‥‥‥‥‥人体の破線
７‥‥‥‥‥透明フイルムでなるブラジャーのカップ
８‥‥‥‥‥乳頭
【図１】
0003189926.tif 000003
【図２】
0003189926.tif 000004
【図３】
0003189926.tif 000005
【手続補正書】
【提出日】平成26年1月23日(2014.1.23)
【手続補正１】
【補正対象書類名】実用新案登録請求の範囲
【補正対象項目名】全文
【補正方法】変更
【補正の内容】
【実用新案登録請求の範囲】
【請求項１】
ブラジャー左右それぞれのカップのアンダーワイヤー部、あるいは円形、楕円形、三角形、四角形、星形の形状を形成した各ワイヤーフレーム部の素材をメタル、プラステイック、リドルチタニウム、アルミチタン、マグネシウム、オプチルあるいは無垢１８金、１４金の金合金、ホワイトゴールド、銅合金、あるいは鰐、蛇、といった爬虫類皮膚を原料とした天然皮革製、及び合成皮革製あるいは、プラチナ、メタル、ナイロン、セルロイド、ポリアミド、ポリウレタン、竹、木材、バッファローホーン、べっ甲素材を材料として型成してなるそれぞれのフレームであって、該フレームは外から見えるようにブラジャーの外側表面に取り付けることを特徴としたブラジャーの構造。
【請求項２】
ブラジャーカップ部の生地素材は布、メッシュ、サテン、レース、ポリエステル、ナイロン、コットン、シフォン、またはシースルーフイルムを使用することを特徴とする請求項１に記載のブラジャーの構造。
【請求項３】
ブラジャーのそれぞれのフレームの素材は各生地色で着用の他に、自然木の木地のまま、あるいはそれらに着色を為すことによりインナー着用、あるいは下着ファッションショーなどでの事業用着用にも対応出来る事を特徴としたフレームの素材及び形状を持つ請求項１に記載のブラジャーの構造。
【請求項４】
前記ブラジャーのフレーム及びカップ部位の構造を３Ｄプリンタで一体成型して成るブラジャーであること特徴とする請求項１に記載したフレームの素材及び形状を持つブラジャーの構造。